(57)【要約】【課題】  縦枠のガイド溝からロープが露出することを防止できる上げ下げ窓を提供すること。【解決手段】  縦枠１３にガイド溝１３７を形成し、その内側面に一対の突出片１３８を互いに近接する方向に形成する。突出片１３８間に形成されたガイド溝１３７の開口幅寸法を、縦枠１３内のガイド溝１３７の幅寸法よりも小さくする。可動障子３０の下端両側部にスライドシュー３６を取り付け、ガイド溝１３７内にスライド移動可能に配置する。懸架装置３００の巻取装置３１０およびスライドシュー３６間に架け渡されるロープ３９を、各縦枠１３のガイド溝１３７内に配置し、ロープ３９を各突出片１３８の裏側に配置する。ロープ３９を突出片１３８で被覆しているので、ロープ３９の露出を防止でき、意匠性を向上できる。【選択図】  図５
2006233719.tif 000002
【特許請求の範囲】
【請求項１】
上枠、下枠、および左右の縦枠を有する窓枠と、この窓枠内に支持されて上下方向に開閉可能な可動障子と、この可動障子を吊り上げ支持する懸架装置とを備えた上げ下げ窓であって、
前記縦枠には、縦枠長手方向に沿ったガイド溝が形成され、かつ、縦枠の内側面には一対の突出片が互いに近接する方向に形成され、この突出片間に形成されたガイド溝の開口幅寸法は、縦枠内のガイド溝の幅寸法よりも小さくされ、
前記可動障子の下端両側部には、縦枠のガイド溝内にスライド移動可能に配置されたスライダー部材が取り付けられ、
前記懸架装置は、前記各縦枠のガイド溝内に配置されたロープと、このロープを巻取可能な巻取装置とを備え、
前記各ガイド溝内に配置されたロープは、前記各突出片の裏側に配置され、
前記スライダー部材は前記ロープを介して前記巻取装置に吊支されている上げ下げ窓。
【請求項２】
前記スライダー部材には滑車が設けられ、この滑車にロープの中間部が架けられている請求項１に記載の上げ下げ窓。
【請求項３】
前記窓枠には、前記左右の縦枠の内、一方側の縦枠のガイド溝内に配置されたロープの両端が取り付けられる一方側巻取装置と、他方側の縦枠のガイド溝内に配置されたロープの両端が取り付けられる他方側巻取装置とが設けられ、
前記各巻取装置は、前記ロープの両端がそれぞれ巻き取られる２つの巻取リールと、この２つの巻取リールが取り付けられた１本の巻取軸と、この巻取軸に連結されて巻取軸を介して各巻取リールを同時に回転させて前記ロープの巻き取りを可能とする巻取力発生装置とを備える請求項２に記載の上げ下げ窓。
【請求項４】
前記ロープの一端は窓枠に設けられた巻取装置に取り付けられ、他端は窓枠に固定されている請求項２に記載の上げ下げ窓。
【請求項５】
前記巻取装置は、バネ式のバランサー装置である請求項３または請求項４に記載の上げ下げ窓。
【請求項６】
前記巻取装置は、モータによってロープを巻取可能なモータ式の巻取装置である請求項３または請求項４に記載の上げ下げ窓。
【請求項７】
前記滑車の直径は、前記ガイド溝の開口幅寸法よりも大きくされている請求項２から請求項６のいずれかに記載の上げ下げ窓。
【請求項８】
前記スライダー部材には前記滑車とガイドローラとが設けられ、前記ガイドローラの直径は、前記ガイド溝の開口幅寸法よりも大きくされ、
前記滑車の直径はガイドローラの直径よりも小さくされている請求項２から請求項６のいずれかに記載の上げ下げ窓。
【請求項９】
前記縦枠のガイド溝において、前記スライダー部材の移動範囲以外の部分には、前記突出片間に取り付けられてガイド溝の開口を塞ぐカバー材が設けられている請求項１から請求項８のいずれかに記載された上げ下げ窓。
【発明の詳細な説明】
【技術分野】
【０００１】
本発明は、上げ下げ窓に関する。
【背景技術】
【０００２】
住宅等の外壁開口部に設けられる窓（サッシ窓）として、上げ下げ窓が知られている（例えば、特許文献１参照）。
特許文献１に記載された上げ下げ窓は、窓枠と、この窓枠の上半分に固定された固定障子と、この固定障子の室内側に沿って上下にスライド開閉自在に設けられた可動障子とを備えて構成されている。
そして、窓枠の上部位置に渦巻きバネ式のバランサー装置を設け、このバランサー装置から繰り出されたワイヤを可動障子に固定されたワイヤーフック部材に取り付けていた。これにより、可動障子の荷重をバランサー装置で支持することで、可動障子の上げ下げ操作を軽い力で行えるようにしていた。
【０００３】
【特許文献１】特開２００４−２３２２１７号公報
【発明の開示】
【発明が解決しようとする課題】
【０００４】
ところで、縦枠の内側面には、前記ワイヤーフック部材を案内するガイド溝の開口が形成されている。従来は、バランサー装置から繰り出された１本のワイヤ（ロープ）をワイヤーフック部材に取り付けるとともに、ワイヤがガイド溝の中心に位置しているため、ガイド溝からワイヤが見えてしまい、意匠性が低下するという問題があった。
【０００５】
本発明の目的は、縦枠のガイド溝からロープが露出することを防止できる上げ下げ窓を提供することにある。
【課題を解決するための手段】
【０００６】
本発明の上げ下げ窓は、上枠、下枠、および左右の縦枠を有する窓枠と、この窓枠内に支持されて上下方向に開閉可能な可動障子と、この可動障子を吊り上げ支持する懸架装置とを備えた上げ下げ窓であって、前記縦枠には、縦枠長手方向に沿ったガイド溝が形成され、かつ、縦枠の内側面には一対の突出片が互いに近接する方向に形成され、この突出片間に形成されたガイド溝の開口幅寸法は、縦枠内のガイド溝の幅寸法よりも小さくされ、前記可動障子の下端両側部には、縦枠のガイド溝内にスライド移動可能に配置されたスライダー部材が取り付けられ、前記懸架装置は、前記各縦枠のガイド溝内に配置されたロープと、このロープを巻取可能な巻取装置とを備え、前記各ガイド溝内に配置されたロープは、前記各突出片の裏側に配置され、前記スライダー部材は前記ロープを介して前記巻取装置に吊支されていることを特徴とする。
【０００７】
以上の本発明によれば、スライダー部材を吊支するロープを、各突出片の裏側に配置して突出片で被覆しているので、ロープが縦枠の内側面側に露出することを防止でき、縦枠部分の意匠性を向上できる。
【０００８】
本発明の上げ下げ窓では、前記スライダー部材には滑車が設けられ、この滑車にロープの中間部が架けられていることが好ましい。
【０００９】
各縦枠のガイド溝内に配置されるロープは、別体の２本のロープを設けて構成してもよいが、この場合には、各ロープの長さを個々に調整し、等しく揃える必要がある。
これに対し、本発明のように、スライダー部材に滑車を設け、１本のロープの中間部を滑車に架けて折り返して構成すれば、一方のロープの長さを調整するだけで、各ロープの長さ寸法を自動的に調整でき、施工作業性を向上できる。
【００１０】
本発明の上げ下げ窓では、前記窓枠には、前記左右の縦枠の内、一方側の縦枠のガイド溝内に配置されたロープの両端が取り付けられる一方側巻取装置と、他方側の縦枠のガイド溝内に配置されたロープの両端が取り付けられる他方側巻取装置とが設けられ、前記各巻取装置は、前記ロープの両端がそれぞれ巻き取られる２つの巻取リールと、この２つの巻取リールが取り付けられた１本の巻取軸と、この巻取軸に連結されて巻取軸を介して各巻取リールを同時に回転させて前記ロープの巻取を可能とする巻取力発生装置とを備えることが好ましい。
【００１１】
ロープの両端を巻取装置に取り付ける場合、各端部をそれぞれ別々の巻取装置に取り付けることもできるが、この場合、各巻取装置間で巻取力にばらつきが生じたり、ロープの巻取量や繰り出し量にばらつきが発生するおそれがあり、これらのばらつきを無くすための調整作業が必要となり、施工作業が煩雑となる。
これに対し、本発明では、ロープの両端が取り付けられる巻取装置に、２つの巻取リールを設け、各巻取リールにロープの一端および他端を連結し、各巻取リールに固定された１本の巻取軸を、定荷重バネやモータ等で構成される巻取力発生装置に連結しているので、ロープの各端部に加わる巻取力にばらつきが生じることを防止でき、かつ、各巻取リールは同時に回転されるため、ロープの巻取量や繰り出し量のばらつきも防止できる。このため、巻取装置の調整作業も簡単になり、施工作業性も向上できる。
【００１２】
本発明の上げ下げ窓では、前記ロープの一端は窓枠に設けられた巻取装置に取り付けられ、他端は窓枠に固定されていることが好ましい。
このような構成によれば、滑車に架けられたロープの他端を窓枠に固定しているので、前記滑車は動滑車として機能する。このため、ロープの一端が取り付けられた巻取装置に加わる荷重は、前述した従来技術（特許文献１）に比べて半分になる。このため、仮に可動障子が大型化して荷重が増大しても、巻取装置に加わる荷重を小さくでき、その分、巻取装置のサイズやコストを低減できる。
【００１３】
ここで、前記巻取装置は、バネ式のバランサー装置であることが好ましい。バネ式のバランサー装置は、手動で開閉される上げ下げ窓において、可動障子の荷重を定荷重バネで支持することができ、利用者は非常に小さな力で障子を開閉することができる。
【００１４】
また、巻取装置としては、モータによってロープを巻取可能なモータ式の巻取装置であってもよい。モータ式の巻取装置を用いれば、可動障子を電動操作で開閉でき、利用者が手動で開閉する必要がないため、開閉操作性をより一層向上できる。
【００１５】
本発明の上げ下げ窓では、前記滑車の直径は、前記ガイド溝の開口幅寸法よりも大きくされていることが好ましい。
このような構成によれば、滑車に架け渡された各ロープ間の寸法は、ガイド溝の開口幅寸法よりも大きくされるので、ロープを突出片の裏側に容易に配置でき、スライダー部分の構造を簡単にできる。
【００１６】
本発明の上げ下げ窓では、前記スライダー部材には滑車とガイドローラとが設けられ、前記ガイドローラの直径は、前記ガイド溝の開口幅寸法よりも大きくされ、前記滑車の直径はガイドローラの直径よりも小さくされていることが好ましい。
このように構成すれば、ガイドローラでガイドされる各ロープ間の寸法は、ガイド溝の開口幅寸法よりも大きくされるので、ロープを突出片の裏側に容易に配置でき、スライダー部分の構造を簡単にできる。
その上、滑車とは別にガイドローラを設けたので、滑車の直径を小さくすることができる。そして、直径の小さな滑車は、スライダーから突出することなく、スライダーの下端部に近付けて配置することができる。このため、滑車の回転軸を可動障子の下端面に取り付けた際に、スライダーの下端面と可動障子の下端面とをほぼ同じ高さ位置に設定できる。スライダーの下端面が可動障子の下端面から下方に突出すると、その突出部分を収納するために縦枠を延長しなければならず、その分、下枠の高さ寸法も大きくしなければならない。これに対し、本実施形態では、可動障子下端面からのスライダーの突出寸法を小さくできるので、縦枠や下枠の寸法を抑えることができ、窓枠をコンパクトに形成できる。
【００１７】
本発明の上げ下げ窓では、前記縦枠のガイド溝において、前記スライダー部材の移動範囲以外の部分には、前記突出片間に取り付けられてガイド溝の開口を塞ぐカバー材が設けられていることが好ましい。
このような構造によれば、スライダー部材の移動範囲以外にはカバー材が取り付けられることで、前記ロープをカバー材で被覆でき、ロープの露出をより確実に防止できて意匠性を向上できる。
【発明を実施するための最良の形態】
【００１８】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１９】
〔第１実施形態〕
図１は、本発明の第１実施形態に係る建具である上げ下げ窓１を室外側から見た正面図である。図２は、上げ下げ窓１を示す縦断面図である。図３および図４は、それぞれ上げ下げ窓１を示す横断面図であって、図３は、上部障子位置における横断面図であり、図４は、下部障子位置における横断面図である。
図１〜図４において、上げ下げ窓１は、戸建て住宅等の建物の外壁２における開口部３に設けられて建物の室内空間と室外空間とを仕切るもので、下端位置が床面よりも所定寸法（例えば、６００mm〜９００mm）だけ高い位置に設けられた腰窓である。
【００２０】
上げ下げ窓１は、上枠１１、下枠１２、および左右の縦枠１３を四周枠組みした窓枠１０と、この窓枠１０の内側に開閉自在に支持された上部障子（上側の障子）２０および下部障子（下側の障子）３０とを備えて構成されている。窓枠１０は、開口部３周辺の柱や壁パネル等の建物躯体４に固定されている。上部障子２０および下部障子３０は、それぞれ上框２１，３１、下框２２，３２、および左右の縦框２３，３３を四周框組みした内部に、ガラスパネル（複層ガラス）２４，３４を嵌め込んで構成されている。また、窓枠１０の室外側には、外部ブラインド４０が設けられ、上部障子２０の室内側における窓枠１０には、網戸５０が取り付けられている。
【００２１】
上部障子２０および下部障子３０は、それぞれ窓枠１０の縦枠１３に案内されて上下にスライド可能に支持されるとともに、上部障子２０が下部障子３０よりも室外側に設けられている。すなわち、上部障子２０によって室外側障子が構成され、下部障子３０によって室内側障子が構成されている。そして、上部障子２０の下框（外召合せ框）２２と下部障子３０の上框（内召合せ框）３１とが見込み方向に重なって上げ下げ窓１が閉じられるようになっている。上部障子２０は、その上框２１が上枠１１に当接した閉鎖位置から、閉じた状態の下部障子３０の上框３１に上框２１が略重なる開放位置までの間を、開閉移動可能に構成されている。一方、下部障子３０は、その下框３２が下枠１２に当接した閉鎖位置から、その上框３１が上枠１１に近接する開放位置までの間を、開閉移動可能に構成されている。
【００２２】
また、上部障子２０の高さ寸法、つまり上框２１上端縁から下框２２下端縁までの長さ寸法は、下部障子３０の高さ寸法よりも小さく形成され、具体的には、上部障子２０は、下部障子３０の略半分の高さ寸法に設定されている。すなわち、下部障子３０が閉鎖位置にある状態で上部障子２０を開放位置まで全開した場合には、上部障子２０が下部障子３０の略上半分室外側に重なった状態となり、この上部障子２０の上方に開口が形成されて上げ下げ窓１が開かれるようになっている。一方、上部障子２０が閉鎖位置にある状態で下部障子３０を開放位置まで全開した場合にも、下部障子３０の略上半分が上部障子２０および網戸５０の室内側に重なった状態となり、下部障子３０の下方に開口が形成されて上げ下げ窓１が開かれるようになっている。
【００２３】
次に、図５〜図８も参照して下部障子３０の懸架装置３００について説明する。
懸架装置３００は、図５に示すように、巻取装置３１０と、ロープ３９と、滑車３２０と、スライダー部材であるスライドシュー３６とを備えて構成されている。
巻取装置３１０は、図２にも示すように、上枠１１の中空部内に配置されている。なお、図示を略すが、上枠１１には一方側および他方側の２つの巻取装置３１０が設けられており、一方側の巻取装置３１０には、左右の縦枠１３のうちの一方の縦枠１３のガイド溝１３７内に配置されたロープ３９の両端が連結され、他方側の巻取装置３１０には、左右の縦枠１３のうちの他方の縦枠１３のガイド溝１３７内に配置されたロープ３９の両端が連結されている。
【００２４】
巻取装置３１０は、図６に示すように、２つの巻取リール３１１Ａ，３１１Ｂと、この２つの巻取リール３１１Ａ，３１１Ｂが取り付けられた１本の巻取軸３１２と、この巻取軸３１２に連結されて巻取軸３１２を介して各巻取リール３１１Ａ，３１１Ｂを同時に回転させて前記ロープ３９の巻取を可能とする巻取力発生装置３１３とを備えて構成されている。
巻取力発生装置３１３は、定荷重バネで構成されており、ロープ３９を介して加わる下部障子３０の重量と、定荷重バネのばね力とが釣り合うように設定されている。従って、巻取装置３１０は、いわゆるバランサー装置として機能し、利用者が下部障子３０を開閉させる際に、下部障子３０の重量の影響を軽減して容易に開閉できるように構成されている。
【００２５】
各縦枠１３内に設けられたロープ３９は、鋼鉄線をより合わせた鋼製のワイヤーロープや、炭素繊維等の高強度繊維を編んだもの等で構成された１本のロープである。このロープ３９の両端部は、前記巻取装置３１０の巻取リール３１１Ａ，３１１Ｂにそれぞれ連結され、中間部がスライドシュー３６の滑車３６３に架け渡されている。従って、巻取装置３１０から滑車３６３の間には、滑車３６３に架けられた１本のロープ３９の中間部からそのロープ３９の一端部側までの部分で構成される第１ロープ部３９Ａと、前記ロープ３９の中間部からそのロープ３９の他端部側までの部分で構成される第２ロープ部３９Ｂとが設けられている。
各ロープ部３９Ａ，３９Ｂは、縦枠１３内に挿通され、縦枠１３の上端部側に設けられた滑車３２０を介して巻取装置３１０の巻取リール３１１Ａ，３１１Ｂにそれぞれ取り付けられている。
【００２６】
縦枠１３は、図７および図８に示すように、それぞれアルミ押出形材製の室内部材１３１、室外部材１３２、室内レール部材１３３、および室外レール部材１３４と、室内部材１３１と室外部材１３２とを連結する樹脂製の断熱部材１３５と、室内レール部材１３３と室外レール部材１３４とを連結する樹脂製の断熱部材１３６とを備えて中空状に形成されている。そして、室外部材１３２が建物躯体４にビス止め固定され、室内レール部材１３３が室内部材１３１に、室外レール部材１３４が室外部材１３２に、それぞれビス止め固定されている。
【００２７】
室内レール部材１３３および室外レール部材１３４は、見付け方向内側（縦枠１３の内側面側）に向かって開口した断面略Ｃ字形に形成されており、それぞれ上部障子２０および下部障子３０を上下に案内可能に構成されている。
すなわち、室内レール部材１３３には、上下方向に連続してつまり縦枠長手方向に沿ったガイド溝１３７が形成されている。また、室内レール部材１３３の内側面側には一対の突出片１３８が互いに近接する方向に形成され、この突出片１３８間に形成されたガイド溝１３７の開口幅寸法は、室内レール部材１３３内のガイド溝１３７の幅寸法よりも小さくされている。
【００２８】
このガイド溝１３７内には、前記スライドシュー３６が上下方向にスライド可能に配置されている。
スライドシュー３６は、図５や図９に示すように、スライドシュー本体３６１と、スライドシュー本体３６１に対して回動自在に支持されてロープ３９が架けられた滑車３６３と、滑車３６３に架けられたロープ３９の各ロープ部３９Ａ，３９Ｂの間隔を広げるためのガイドローラ３６２と、滑車３６３の回転軸と同軸上に設けられた軸芯部材３６４とを備えている。
軸芯部材３６４は、下部障子３０の下端にビス止めされ、かつ、スライドシュー本体３６１に対して回動自在に設けられている。このため、軸芯部材３６４は、可動障子３０を回転自在に支持するピポットヒンジの軸芯として機能し、可動障子３０は、軸芯部材３６４を回転軸としてその上端側を室内側に倒すことができるように構成されている。
【００２９】
ガイドローラ３６２は、その直径が前記突出片１３８間の開口幅寸法よりも大きく形成されている。このため、ガイドローラ３６２で案内されたロープ３９の各ロープ部３９Ａ，３９Ｂは、図７に示すように、突出片１３８の裏側に配置されている。
また、滑車３６３の直径は、ガイドローラ３６２やガイド溝１３７の開口幅寸法よりも小さくされている。
【００３０】
図８に示すように、室内レール部材１３３の上下方向中間部から上端近傍にわたって、カバー材である内倒しレール１３３Ａが前記突出片１３８間に取り付けられている。内倒しレール１３３Ａは、横断面が略コ字状に形成された長尺部材である。この内倒しレール１３３Ａが取り付けられた部分においては、ロープ３９が配置されている突出片１３８の裏側の空間は内倒しレール１３３Ａおよび室内レール部材１３３によって区画されている。このため、内倒しレール１３３Ａによって、ロープ３９はガイド溝１３７の開口部分から視認できないように被覆されている。
【００３１】
この内倒しレール１３３Ａには、下部障子３０の縦框３３上端に設けられたラッチ３７の突出片３７２が挿入されている。
従って、下部障子３０は、上端側に設けられたラッチ３７の突出片３７２が内倒しレール１３３Ａに沿って上下方向に案内され、下端側に設けられたスライドシュー３６が室内レール部材１３３のガイド溝１３７に沿って上下方向に案内されることで、上下にスライド開閉されるようになっている。
【００３２】
次に、下部障子３０の開閉操作について、図１０に基づいて説明する。
図１０(Ａ)〜(Ｃ)は、下部障子３０の動作を説明する図である。
図１０(Ａ)に示すように、下部障子３０が閉鎖位置にある場合には、図示しない下部施錠装置によって下框３２が下枠１２に係止されて下部障子３０が施錠されるようになっている。
一方、下部施錠装置を解除すれば、図１０(Ｂ)に示すように、下部障子３０を上方に持ち上げて、開放位置まで移動することができる。この際、下部障子３０は、スライドシュー３６、ロープ３９を介して巻取装置（バランサー装置）３１０で吊り上げ支持されているので、手動操作で下部障子３０を持ち上げる際には、小さな力で下部障子３０を移動することができる。
【００３３】
また、下部障子３０は、図１０(Ｃ)に示すように、下部障子３０下端部のスライドシュー３６が下枠１２から所定量だけ上方に位置した状態で、ラッチ３７の操作ボタン３７１を操作して突出片３７２と内倒しレール１３３Ａとの係合を外せば、スライドシュー３６に設けられた軸芯部材３６４を中心に上框３１側が室内側に回動（内倒し）可能に構成されている。そして、下部障子３０を内倒しすることで、ガラスパネル３４の室外面を清掃することができるようになっている。この内倒し時において下部障子３０を所定の角度で窓枠１０に支持させるために、下部障子３０には、縦枠１３に接続された内倒しロッド３８が設けられている。この内倒しロッド３８の縦枠１３側端部には、スライドシュー３８１が設けられており、このスライドシュー３８１は、縦枠１３の室内レール部材１３３に設けられた内倒しレール１３３Ａに案内されて上下スライド可能になっている。内倒しレール１３３Ａの下端部には、ストッパー（位置決め部材）１３３Ｂが設けられており、このストッパー１３３Ｂにスライドシュー３８１が当接して位置決めされることで、内倒し時の下部障子３０の倒れ角度が規定されるようになっている。さらに、図１０(Ｂ)に示す開放位置まで下部障子３０が開放された際には、スライドシュー３６がストッパー１３３Ｂの下端に当接し、それ以上、上方に移動しないように規制されて位置決めされている。
【００３４】
このような本実施形態によれば、以下のような効果がある。
（１）下部障子３０を吊り上げ支持する懸架装置３００において、巻取装置３１０とスライドシュー３６とを結ぶロープ３９を設け、かつ、このロープ３９が配置されるガイド溝１３７を備える室内レール部材１３３に突出片１３８を形成し、前記ロープ３９を突出片１３８の裏側に配置したので、縦枠１３の内側面をその正面から見た際に、ロープ３９を突出片１３８で隠すことができる。このため、ロープをガイド溝１３７の幅方向中心位置に設けた場合に比べて、ロープ３９が視認され難くなり、その分、意匠性を向上することができる。
【００３５】
（２）また、室内レール部材１３３の上部側には内倒しレール１３３Ａを設けてロープ３９を完全に被覆しているので、意匠性をより向上できる。特に、室内レール部材１３３の上部側は、下部障子３０が閉鎖位置にある場合に室内側に露出するため、内倒しレール１３３Ａが設けられていない場合には、ガイド溝１３７の開口部分からロープ３９が室内側に露出するおそれがある。これに対し、本実施形態では、内倒しレール１３３Ａを設けたので、下部障子３０が閉鎖位置にある場合に室内側に露出する縦枠１３の上部側において、ロープ３９が室内側に露出することがなく、意匠性を向上することができる。
なお、内倒しレール１３３Ａが設けられていない室内レール部材１３３の下部側においても、ガイド溝１３７は下部障子３０で隠されているので、ロープ３９が視認されることはなく、意匠性を低下させることはない。すなわち、ガイド溝１３７からロープ３９が視認される可能性があるのは、下部障子３０を内倒しした場合のみであり、その露出部分も内倒しレール１３３Ａの下側の一部に過ぎないため、意匠性の低下を最小限に抑えることができる。
【００３６】
（３）スライドシュー３６に滑車３６３を設け、１本のロープ３９を巻取装置３１０から滑車３６３を介して巻取装置３１０まで架け渡しているので、各ロープ部３９Ａ，３９Ｂの長さ調整も容易に行うことができる。
すなわち、別体の２本のロープを巻取装置３１０およびスライドシュー３６間に架け渡した場合には、各ロープの長さを個々に調整し、等しく揃えなければならず、作業が煩雑であるが、本実施形態のように１本のロープを滑車３６３に架けて配置すれば、各ロープ部３９Ａ，３９Ｂの長さ寸法は自動的に調整できるので、施工作業性を向上できる。
【００３７】
（４）ガイドローラ３６２の直径をガイド溝１３７の開口幅寸法よりも大きくしたので、滑車３６３に架け渡したロープ３９をガイドローラ３６２で案内するだけで、各ロープ部３９Ａ，３９Ｂ間の寸法をガイド溝１３７の開口幅寸法よりも大きくでき、ロープ３９を突出片１３８の裏側に容易に配置できる。従って、各ロープ部３９Ａ，３９Ｂを突出片１３８の裏側に配置するための特別な構造を設ける必要もなく、スライドシュー３６の構成も簡単にできる。
【００３８】
（５）スライドシュー３６に、滑車３６３の他、ガイドローラ３６２を設けることで、滑車３６３の直径を小さくしているので、窓枠１０の特に下枠１２部分の高さ寸法を抑えることができる。
すなわち、滑車３６３はスライドシュー本体３６１から突出しないように配置する必要があり、その直径を小さくできれば、滑車３６３の回転軸部分つまり軸芯部材３６４をスライドシュー本体３６１の下端近傍に配置できる。軸芯部材３６４は下部障子３０の下端面にビス止めされるため、軸芯部材３６４をスライドシュー本体３６１の下端近傍に配置できれば、スライドシュー本体３６１において軸芯部材３６４よりも下方に突出する部分の寸法を短くできる。従って、窓枠１０においてスライドシュー本体３６１を収納するスペースを小さくでき、窓枠１０の特に下枠１２部分の高さ寸法を抑えることができる。
【００３９】
（６）ロープ３９の両端が取り付けられる巻取装置３１０に、２つの巻取リール３１１Ａ，３１１Ｂを設け、各巻取リール３１１Ａ，３１１Ｂにロープ３９の一端および他端を連結し、各巻取リール３１１Ａ，３１１Ｂに固定された１本の巻取軸３１２を、定荷重バネで構成される巻取力発生装置３１３に連結しているので、ロープ３９の各端部に加わる巻取力にばらつきが生じることを防止でき、かつ、各巻取リール３１１Ａ，３１１Ｂは同時に回転されるため、ロープ３９の巻取量や繰り出し量のばらつきも防止できる。このため、巻取装置３１０の調整作業も簡単になり、施工作業性も向上できる。
【００４０】
〔第２実施形態〕
次に、本発明の第２実施形態に係る上げ下げ窓１Ａについて、図１１に基づいて説明する。
前記第１実施形態の懸架装置３００では、ロープ３９の各ロープ部３９Ａ，３９Ｂを巻取装置３１０にそれぞれ連結していたのに対し、本実施形態の上げ下げ窓１Ａの懸架装置３００では、一方のロープ部３９Ａのみを巻取装置３１０に連結し、他方のロープ部３９Ｂは図示略の窓枠１０に固定している点が相違する。
また、前記実施形態のスライドシュー３６は、滑車３６３の他にガイドローラ３６２を設けていたが、本実施形態のスライダー部材であるスライドシュー３６Ａは、ガイドローラ３６２を無くし、１つの滑車３６３のみを設け、この滑車３６３の直径を前記突出片１３８間の開口幅寸法よりも大きく形成している点も相違する。
【００４１】
このような本実施形態においては、一方のロープ部３９Ｂが窓枠１０に固定されていることから、滑車３６３はいわゆる動滑車として機能する。そして、ロープ部３９Ｂが窓枠１０に固定されていることから、下部障子３０の重量の約半分はロープ部３９Ｂを介して窓枠１０で支持される。従って、ロープ部３９Ａを介して巻取装置３１０で支持される重量は、下部障子３０の重量の約半分に軽減される。
【００４２】
また、滑車３６３は、その直径が前記突出片１３８間の開口幅寸法よりも大きく形成されているため、滑車３６３に架けられたロープ３９の各ロープ部３９Ａ，３９Ｂは、突出片１３８の裏側に配置されている。
なお、巻取装置３１０には一方のロープ部３９Ａのみが連結されるため、巻取リールも１つだけ設けておけばよいが、前記実施形態の巻取装置３１０のように、２つの巻取リール３１１Ａ，３１１Ｂが設けられている場合には、一方の巻取リールのみにロープ３９を連結すればよい。
【００４３】
このような本実施形態によれば、前述の(１)〜(３)の効果に加えて以下のような効果がある。
（７）ロープ部３９Ｂを窓枠１０に固定して滑車３６３を動滑車として機能させているので、巻取装置３１０における支持荷重は、下部障子３０の重量の約半分に軽減できる。このため、巻取装置３１０として使用するバランサー装置の出力を従来の半分にすることができ、巻取装置３１０の小型化、軽量化、低コスト化を実現できる。
【００４４】
（８）滑車３６３の直径をガイド溝１３７の開口幅寸法よりも大きくしたので、滑車３６３にロープ３９を架け渡すだけで、各ロープ部３９Ａ，３９Ｂ間の寸法をガイド溝１３７の開口幅寸法よりも大きくでき、ロープ３９を突出片１３８の裏側に容易に配置できる。従って、各ロープ部３９Ａ，３９Ｂを突出片１３８の裏側に配置するための特別な構造を設ける必要もなく、スライドシュー３６の構成も簡単にできる。その上、ガイドローラ３６２が不要なため、部品点数も少なくできる。
【００４５】
なお、本発明は、前記各実施形態に限定されるものではなく、本発明の目的を達成できる他の構成等を含み、以下に示すような変形等も本発明に含まれる。
例えば、スライダー部材であるスライドシュー３６，３６Ａの構成は、前記各実施形態のものに限らない。例えば、第１実施形態のスライドシュー３６において、ガイドローラ３６２の代わりに、所定間隔離れて配置された２つのガイドローラを設けて各ロープ部３９Ａ，３９Ｂの間隔を設定してもよい。このガイドローラは、ガイドローラ３６２に比べて小径のローラで構成できる。
【００４６】
また、前記各実施形態では、巻取装置３１０として定荷重バネ式の巻取力発生装置３１３を備えるバランサー装置を用いていたが、巻取力発生装置をモータで構成し、モータによって巻取軸３１２および巻取リール３１１Ａ，３１１Ｂを回転駆動することでロープ３９を巻き取る方式の巻取装置を用いてもよい。この場合、電動によって下部障子３０を上下動できるので、利用者の負担をより一層軽減できる。
【００４７】
さらに、前記各実施形態では、スライドシュー３６，３６Ａに滑車３６３を設け、この滑車３６３に１本のロープ３９を架け渡し、そのロープ３９の両端を巻取装置３１０に取り付けていたが、スライドシュー３６，３６Ａに滑車３６３を設けず、別体の２本のロープを直接スライドシュー３６および巻取装置３１０間に架け渡してもよい。
【００４８】
また、前記実施形態では、縦枠１３の上部側においては、内倒しレール１３３Ａを設けてロープ３９を被覆していたが、この内倒しレール１３３Ａは必ずしも設けなくてもよい。但し、内倒しレール１３３Ａを設けた方が、ロープ３９の露出を防止できて意匠性をより向上できる利点がある。
【００４９】
また、前記実施形態では、下部障子３０を上下動する懸架装置３００に本発明を適用していたが、上部障子２０を上下動するために本発明を用いてもよい。また、前記実施形態の上げ下げ窓１では、下部障子３０は内倒し可能に設けられていたが、内倒しできない上げ下げ窓に適用してもよい。
要するに、本発明の上げ下げ窓は、ロープを介して巻取装置によって吊り上げ支持される可動障子を有する各種の上げ下げ窓に適用できる。
【００５０】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５１】
【図１】本発明の第１実施形態に係る上げ下げ窓を室外側から見た正面図である。
【図２】前記上げ下げ窓を示す縦断面図である。
【図３】前記上げ下げ窓を示す横断面図であり、上部障子位置での横断面図である。
【図４】前記上げ下げ窓を示す横断面図であり、下部障子位置での横断面図である。
【図５】前記上げ下げ窓の懸架装置の構成を示す概略斜視図である。
【図６】前記懸架装置における巻取装置の構成を示す概略図である。
【図７】前記上げ下げ窓の縦枠部分を拡大して示す横断面図である。
【図８】前記上げ下げ窓における縦枠部分を拡大して示す斜視図である。
【図９】本発明のスライダー部材を示す図であり、(Ａ)はスライダー部材の正面図、（Ｂ）はスライダー部材の側面図である。
【図１０】(Ａ)〜(Ｃ)は、前記下部障子の動作を説明する図である。
【図１１】本発明の第２実施形態に係る上げ下げ窓の懸架装置の構成を示す概略斜視図である。
【符号の説明】
【００５２】
１，１Ａ…上げ下げ窓、１０…窓枠、１１…上枠、１２…下枠、１３…縦枠、２０…上部障子、３０…下部障子、３６，３６Ａ…スライドシュー、３７…ラッチ、３９…ロープ、３９Ａ…第１ロープ部、３９Ｂ…第２ロープ部、１３３…室内レール部材、１３３Ａ…内倒しレール、１３７…ガイド溝、１３８…突出片、３００…懸架装置、３１０…巻取装置、３１１Ａ，３１１Ｂ…巻取リール、３１２…巻取軸、３１３…巻取力発生装置、３２０…滑車、３６１…スライドシュー本体、３６２…ガイドローラ、３６３…滑車、３６４…軸芯部材。
【図１】
2006233719.tif 000003
【図２】
2006233719.tif 000004
【図３】
2006233719.tif 000005
【図４】
2006233719.tif 000006
【図５】
2006233719.tif 000007
【図６】
2006233719.tif 000008
【図７】
2006233719.tif 000009
【図８】
2006233719.tif 000010
【図９】
2006233719.tif 000011
【図１０】
2006233719.tif 000012
【図１１】
2006233719.tif 000013